(57)【要約】【課題】自動車のエアコン吹き出し口のルーバーの角度にかかわらず、装飾部の表示が自然な方向を向く自動車用芳香具を提供する。【解決手段】本体（１）のクリップ（２）に、開孔した係合孔部（２ａ）に装飾部（４）の裏面側に突設した係合突起部（４ａ）を嵌入し、クリップ（２）をエアコン吹き出し口のルーバーに取り付けたときに、装飾部（４）がクリップ（２）のルーバーへの差し込み方向と直交する方向に対して自在に回転し適宜角度で固定可能として、自動車のエアコン吹き出し口のルーバーの方向にかかわらず、装飾部が自然な方向を向くようにした。【選択図】図１
2016150625.tif 000002
【特許請求の範囲】
【請求項１】
自動車のエアコン吹き出し口のルーバーに取り付けるクリップの上下の片の外方に芳香体が備えられた自動車用芳香具において、自動車用芳香具の本体は、芳香体が備えられたクリップと装飾部とから構成され、該クリップのエアコン吹き出し口のルーバーに差し込む開放側端部とは逆側端部に、係合孔部を開孔し、該装飾部の裏面側には、係合突起部を突設して備え、該クリップの係合孔部に、該装飾部の係合突起部を嵌入し、クリップをエアコン吹き出し口のルーバーに取り付けたときに、装飾部がクリップのルーバーへの差し込み方向と直交する方向に対して自在に回転し適宜角度で固定可能としたことを特徴とする自動車用芳香具。
【発明の詳細な説明】
【技術分野】
【０００１】
本発明は、自動車のエアコン吹き出し口のルーバーに取り付ける芳香具に関し、特に、ルーバーに取り付けるクリップ自体に芳香体が備えられた芳香具に関する。
【背景技術】
【０００２】
従来、自動車のエアコン吹き出し口のルーバーに取り付ける芳香具が多々提案されている。例えば、特開２００３−１１６９７９号公報（特許文献１）に示される車両用芳香剤・消臭剤容器は、芳香剤を収納する容器本体１と該容器本体１の後面に取り付けられたクリップ状の取付部４とから構成され、自動車のエアコン吹き出し口のルーバーにクリップ状の取付部４を差し込んで取り付ける（当該公報段落番号００１３参照）。また、容器本体１とクリップ状の取付部４とは、回転可能であるため容器本体１の取り付け姿勢を任意の角度に調節することができ、ルーバーが縦方向の場合に９０°回転させることもできる（当該公報段落番号００１５参照）。
【０００３】
次に、図１１に示される従来例の芳香具は、自動車のエアコン吹き出し口のルーバーにクリップを差し込んで取り付ける芳香具で、クリップ（２１）自体に香料を担持させた芳香体（３１）を備えて構成し、エアコンが作動して吹き出し口から出る風とともに芳香体（３１）から発散される香りが自動車室内に放散される。また、クリップ（２１）のルーバーへの差込側とは逆側の端部には、平板状の装飾部（４１）がクリップ（２１）と一体に形成され、装飾部（４１）前面に、イラストや文字などが付されたラベルや銘板などが貼り付けられたり、直接印刷されたり、一体に成形されたりして表示され、エアコン吹き出し口のルーバーに装着された際に、ワンポイントとなる。
【先行技術文献】
【特許文献】
【０００４】
【特許文献１】特開２００３−１１６９７９号公報
【発明の概要】
【発明が解決しようとする課題】
【０００５】
ところで、自動車のエアコン吹き出し口のルーバーは、図１２に示されるように水平、図１３に示されるように垂直、図１４に示されるように回転自在で斜めのものなど様々な態様がある。図１１に示される芳香具においては、図１２の水平のルーバーに取り付けたときは、装飾部に付されたイラストや文字などが正しく自然な向きとなるが、図１３の垂直や図１４の斜めのルーバーに取り付けたときは、装飾部に付されたイラストや文字などが横になったり、斜めに傾いたりして見た目が極めて不自然になるという課題があった。
【０００６】
そこで本発明は、かかる課題を考慮し、自動車のエアコン吹き出し口のルーバーに取り付けるクリップ自体に芳香体が備えられた芳香具において、クリップのルーバーへの差込側とは逆側の端部に備えられた装飾部を回転させて適宜角度に設定することで、装飾部（４）の表示状態を常に自然な位置に固定することができる自動車用芳香具を提供することを目的としている。
【課題を解決するための手段】
【０００７】
本発明の請求項１においては、  自動車のエアコン吹き出し口のルーバーに取り付けるクリップの上下の片の外方に芳香体が備えられた自動車用芳香具において、自動車用芳香具の本体は、芳香体が備えられたクリップと装飾部とから構成され、該クリップのエアコン吹き出し口のルーバーに差し込む開放側端部とは逆側端部に、係合孔部を開孔し、該装飾部の裏面側には、係合突起部を突設して備え、該クリップの係合孔部に、該装飾部の係合突起部を嵌入し、クリップをエアコン吹き出し口のルーバーに取り付けたときに、装飾部がクリップのルーバーへの差し込み方向と直交する方向に対して自在に回転し適宜角度で固定可能としたことで解決される。
【発明の効果】
【０００８】
本発明の自動車用芳香具は、自動車のエアコン吹き出し口のルーバーに取り付けるクリップの上下の片の外方に芳香体が備えられた自動車用芳香具において、自動車用芳香具の本体は、芳香体が備えられたクリップと装飾部とから構成され、該クリップのエアコン吹き出し口のルーバーに差し込む開放側端部とは逆側端部に、係合孔部を開孔し、該装飾部の裏面側には、係合突起部を突設して備え、該クリップの係合孔部に、該装飾部の係合突起部を嵌入し、クリップをエアコン吹き出し口のルーバーに取り付けたときに、装飾部がクリップのルーバーへの差し込み方向と直交する方向に対して自在に回転し適宜角度で固定可能としたので、装飾部の表示を常に自然な角度に固定することを可能とした。
【図面の簡単な説明】
【０００９】
【図１】自動車用芳香具の右側面図である。
【図２】自動車用芳香具の平面図である。
【図３】自動車用芳香具の正面図である。
【図４】装飾部を分離した状態を示す右側面図である。
【図５】装飾部を分離した状態を示す平面図である。
【図６】係合孔部を正面側から見た状態を示す図である。
【図７】装飾部が３６０°回転する状態を示す図である。
【図８】本発明の自動車用芳香具を水平のルーバーに取り付けた状態を示す図である。
【図９】本発明の自動車用芳香具を垂直のルーバーに取り付けた状態を示す図である。
【図１０】本発明の自動車用芳香具を斜めのルーバーに取り付けた状態を示す図である。
【図１１】芳香具の従来例を示す図である。
【図１２】従来例の芳香具を水平のルーバーに取り付けた状態を示す図である。
【図１３】従来例の芳香具を垂直のルーバーに取り付けた状態を示す図である。
【図１４】従来例の芳香具を斜めのルーバーに取り付けた状態を示す図である。
【発明を実施するための形態】
【実施例１】
【００１０】
本発明の第１実施例について、図面を参照して詳細に説明する。図1は、本発明の自動車用芳香具の右側面図、図２は、自動車用芳香具の平面図、図３は、自動車用芳香具の正面図である。
【００１１】
自動車用芳香具の本体（１）は、クリップ（２）、芳香体（３）、装飾部（４）から構成される。クリップ（２）は、樹脂素材（例えば超耐熱ＡＢＳ樹脂など）からなり、自動車のエアコン吹き出し口のルーバーにクリップ（２）の開放側端部から差し込んで弾性的に固定する。
【００１２】
芳香体（３）は、香料を担持した樹脂素材からなり、クリップ（２）の上下の片の外方に備えられる。また、図１及び図２に示されるように、クリップ（２）に立設した複数のボス（２ｃ）に、芳香体（３）に開口したボス（２ｃ）に対応する孔に嵌め圧入固定する。
【００１３】
装飾部（４）は、クリップ（２）と同様に樹脂素材からなり、前面側は平板状で、イラストや文字などが付されたラベルや銘板などを貼り付ける、直接印刷する、一体に成形するなどして装飾的な表示をすることができる。
【００１４】
図４は、クリップ（２）と装飾部（４）を分離した状態を示す右側面図、図５は、クリップ（２）と装飾部（４）を分離した状態を示す平面図、図６は、クリップ（２）の係合孔部（２ａ）を正面側から見た状態を示す図である。装飾部（４）の背面側には、クリップ（２）の開放側端部とは逆側端部に開孔した係合孔部（２ａ）に嵌め込んで係合するための係合突起部（４ａ）が突設される。係合突起部（４ａ）は、先端がカギ状となっているため、クリップ（２）の係合孔部（２ａ）に嵌入したときに、係合孔部（２ａ）の奥のアンダーに形成された部分（図示せず）に引っ掛かり抜け止めとなる。このようにクリップ（２）の係合孔部（２ａ）に係合された装飾部（４）は、図７に示されるように、クリップ（２）のルーバーへの差し込み方向と直交する方向に回転させて適宜位置に固定することが可能となる。
【００１５】
また、図６に示されるように、クリップ（２）の開放側端部とは逆側端部には、係合孔部（２ａ）が開口している。係合孔部（２ａ）の内周面にはローレット（２ｂ）が形成され、装飾部（４）の係合突起部（４ａ）が係合したときにクリック感を持って図７に示されるように回転させて適宜角度に固定することができる。
【００１６】
図８は、本体（１）を水平のルーバーに取り付けた状態、図９は、本体（１）を垂直のルーバーに取り付けた状態。図１０は、本体（１）を斜めのルーバーに取り付けた状態を示す図である。以上のように構成された自動車用芳香具の本体（１）は、自動車のエアコン吹き出し口のルーバーにクリップ（２）の開放側端部から差し込んで弾性的に固定する。そして、エアコンが作動し、吹き出し口から出る風とともに、芳香体（３）から発散される香りが自動車室内に放散される。
【００１７】
また、図8乃至図１０に示されるようにルーバーの角度に応じて装飾部（４）を適宜回転させることで、装飾部（４）の表示状態を常に自然な位置に固定することができる。例えば、企業の広告宣伝のための販売促進物として本体（１）を利用する場合は、装飾部（４）への表示に企業ロゴや商品ロゴを使用するが、ロゴが横に向いたり、斜めに向いたりして広告宣伝の体をなさないということが解消される。
【符号の説明】
【００１８】
１，１１      本体
２，２１      クリップ
２ａ          係合孔部
２ｂ          ローレット部
３，３１      芳香体
４，４１      装飾部
４ａ          係合突起部
【図１】
2016150625.tif 000003
【図２】
2016150625.tif 000004
【図３】
2016150625.tif 000005
【図４】
2016150625.tif 000006
【図５】
2016150625.tif 000007
【図６】
2016150625.tif 000008
【図７】
2016150625.tif 000009
【図８】
2016150625.tif 000010
【図９】
2016150625.tif 000011
【図１０】
2016150625.tif 000012
【図１１】
2016150625.tif 000013
【図１２】
2016150625.tif 000014
【図１３】
2016150625.tif 000015
【図１４】
2016150625.tif 000016